(57)【要約】  本願は、無線通信方法、端末デバイス及びネットワークデバイスを提供し、端末デバイスがサポートする可能な最大帯域幅能力情報を通知し、ネットワークデバイスは、端末デバイスがサポートする可能な最大帯域幅能力情報に応じて、データを送信する帯域幅部分を端末デバイスに構成することにより、端末デバイスが適切な帯域幅でデータ送信を行うことができ、省電力化を図る。該方法は、端末デバイスがネットワークデバイスに該端末デバイスがサポートする最大帯域幅能力情報を送信することを含む。
2021510021.tif 000002
【特許請求の範囲】
【請求項１】
端末デバイスが、前記端末デバイスがサポートする最大帯域幅能力情報をネットワークデバイスに送信することを含む
ことを特徴とする無線通信方法。
【請求項２】
前記方法は、さらに、
前記端末デバイスが前記ネットワークデバイスに指示情報を送信することを含み、前記指示情報は、前記端末デバイスが優先的に使用する周波数範囲、及び／又は、周波数優先度情報を示す
ことを特徴とする請求項１に記載の無線通信方法。
【請求項３】
前記方法は、さらに、
前記端末デバイスが前記ネットワークデバイスにより送信された帯域幅部分ＢＷＰリスト及び構成情報を受信することと、
前記端末デバイスが前記構成情報に基づいて前記ＢＷＰリストからＢＷＰを選択してデータ伝送を行うこととを含み、
前記ＢＷＰリストが少なくとも１つＢＷＰを含み、前記少なくとも１つＢＷＰの最大帯域幅が前記端末デバイスのサポートする最大帯域幅能力情報以下であり、前記構成情報が前記ＢＷＰリストにデータ伝送するＢＷＰを示す
ことを特徴とする請求項１又は２に記載の無線通信方法。
【請求項４】
ネットワークデバイスは、端末デバイスにより送信された、前記端末デバイスがサポートする最大帯域幅能力情報を受信することと、
前記ネットワークデバイスが前記端末デバイスがサポートする最大帯域幅能力情報に基づいて、帯域幅部分ＢＷＰリスト及び構成情報を前記端末デバイスに構成することとを含み、
前記ＢＷＰリストが少なくとも１つＢＷＰを含み、前記少なくとも１つＢＷＰの最大帯域幅が前記端末デバイスのサポートする最大帯域幅能力情報以下であり、前記構成情報が前記ＢＷＰリストにデータ伝送するＢＷＰを示す
ことを特徴とする無線通信方法。
【請求項５】
前記方法は、さらに、
前記ネットワークデバイスが前記端末デバイスにより送信された指示情報を受信することを含み、前記指示情報は、前記端末デバイスが優先的に使用する周波数範囲、及び／又は、周波数優先度情報を示し、
前記ネットワークデバイスが前記端末デバイスがサポートする最大帯域幅能力情報に基づいて、前記端末デバイスに対する帯域幅部分ＢＷＰリストを構成することは、
前記ネットワークデバイスが前記端末デバイスがサポートする最大帯域幅能力情報及び前記指示情報に基づいて、前記端末デバイスに対する前記ＢＷＰリストを構成することを含む
ことを特徴とする請求項４に記載の無線通信方法。
【請求項６】
前記ネットワークデバイスが前記端末デバイスがサポートする最大帯域幅能力情報に基づいて、ＢＷＰリストを前記端末デバイスに構成することは、
前記ネットワークデバイスが無線リソース制御ＲＲＣ専用シグナリングを介して前記端末デバイスに前記ＢＷＰリスト及び前記構成情報を構成することを含む
ことを特徴とする請求項４又は５に記載の無線通信方法。
【請求項７】
送信ユニットを備える端末デバイスであって、
前記送信ユニットは、前記端末デバイスがサポートする最大帯域幅能力情報をネットワークデバイスに送信するように構成される
ことを特徴とする端末デバイス。
【請求項８】
前記送信ユニットは、さらに、前記ネットワークデバイスに指示情報を送信するように構成され、前記指示情報は、前記端末デバイスが優先的に使用する周波数範囲、及び／又は、周波数優先度情報を示す
ことを特徴とする請求項７に記載の端末デバイス。
【請求項９】
前記端末デバイスは、さらに、受信ユニットと処理ユニットを含み、
前記受信ユニットは、前記ネットワークデバイスにより送信された帯域幅部分ＢＷＰリスト及び構成情報を受信するように構成され、前記ＢＷＰリストが少なくとも１つＢＷＰを含み、前記少なくとも１つＢＷＰの最大帯域幅が前記端末デバイスのサポートする最大帯域幅能力情報以下であり、前記構成情報が前記ＢＷＰリストにデータ伝送するＢＷＰを示し、
前記処理ユニットは、前記構成情報に基づいて前記ＢＷＰリストからＢＷＰを選択してデータ伝送を行うように構成される
ことを特徴とする請求項７又は８に記載の端末デバイス。
【請求項１０】
受信ユニットと、処理ユニットとを備えるネットワークデバイスであって、
前記受信ユニットは、端末デバイスにより送信された、前記端末デバイスがサポートする最大帯域幅能力情報を受信するように構成され、
前記処理ユニットは、前記端末デバイスがサポートする最大帯域幅能力情報に基づいて、帯域幅部分ＢＷＰリスト及び構成情報を前記端末デバイスに構成するように構成され、
前記ＢＷＰリストが少なくとも１つＢＷＰを含み、前記少なくとも１つＢＷＰの最大帯域幅が前記端末デバイスのサポートする最大帯域幅能力情報以下であり、前記構成情報が前記ＢＷＰリストにデータ伝送するＢＷＰを示す
ことを特徴とするネットワークデバイス。
【請求項１１】
前記受信ユニットは、さらに、前記端末デバイスにより送信された指示情報を受信するように構成され、前記指示情報は、前記端末デバイスが優先的に使用する周波数範囲、及び／又は、周波数優先度情報を示し、
前記処理ユニットは、前記端末デバイスがサポートする最大帯域幅能力情報及び前記指示情報に基づいて、前記端末デバイスに対する前記ＢＷＰリストを構成するように構成される
ことを特徴とする請求項１０に記載のネットワークデバイス。
【請求項１２】
前記処理ユニットは、さらに、無線リソース制御ＲＲＣ専用シグナリングを介して、前記端末デバイスに前記ＢＷＰリスト及び前記構成情報を構成するように構成される
ことを特徴とする請求項１０又は１１に記載のネットワークデバイス。
【発明の詳細な説明】
【技術分野】
【０００１】
本願は、通信分野に関し、具体的に、無線通信方法、端末デバイス及びネットワークデバイスに関する。
【背景技術】
【０００２】
第５世代移動体通信技術( ５Ｇ Ｇｅｎｅｒａｔｉｏｎ、５Ｇ )の新ラジオ( Ｎｅｗ Ｒａｄｉｏ ＮＲ )通信では、低周波数キャリアの場合、最大チャネル帯域幅は１００ＭＨｚであり、高周波数キャリアの場合、最大チャネル帯域幅は４００ＭＨｚである。５Ｇ ＮＲ通信では、端末デバイスの消費電力に対する要求が高くなり、端末デバイスが低周波数キャリアや高周波数キャリアの最大チャネル帯域幅に応じて常時データ伝送を行うと、大きな電力消費が発生するため、５Ｇ ＮＲ通信では端末デバイスの消費電力に対する要求を満足できない。
【発明の概要】
【０００３】
本発明の実施例は、無線通信方法、端末デバイス、及びネットワークデバイスを提供し、端末デバイスがサポートする可能な最大帯域幅能力情報を通知し、ネットワークデバイスは、端末デバイスがサポートする可能な最大帯域幅能力情報に応じて、データを送信する帯域幅部分を端末デバイスに構成することにより、端末デバイスが適切な帯域幅でデータ送信を行うことができ、省電力化を図る。
【０００４】
第１の態様として、本願の実施例は、無線通信方法を提供し、
端末デバイスが該端末デバイスがサポートする最大帯域幅能力情報をネットワークデバイスに送信することを含む。
【０００５】
そして、本願の実施例の無線通信方法において、端末デバイスがサポートする可能な最大帯域幅能力情報を通知し、ネットワークデバイスは、端末デバイスがサポートする可能な最大帯域幅能力情報に応じて、データを送信する帯域幅部分を端末デバイスに構成することにより、端末デバイスが適切な帯域幅でデータ送信を行うことができ、省電力化を図る。
【０００６】
任意選択で、第１の態様の実現可能な方式において、該方法は、さらに、
該端末デバイスが該ネットワークデバイスに指示情報を送信することを含み、該指示情報は、該端末デバイスが優先的に使用する周波数範囲、及び／又は、周波数優先度情報を示す。
【０００７】
さらに、端末デバイスが優先的に使用する周波数範囲及び/又は周波数優先度情報を示す指示情報を通知することにより、ネットワークデバイスは、端末デバイスがサポートする最大帯域幅能力情報と優先的に使用する周波数範囲及び/又は周波数優先度情報とに基づいて、端末デバイスにデータを送信するため帯域幅部分を構成することができ、これにより、端末デバイスは、省電力化を図るために適切な帯域幅でデータ送信を行うことができる。
【０００８】
任意選択で、第１の態様の実現可能な方式において、該方法は、さらに、
該端末デバイスが該ネットワークデバイスにより送信された帯域幅部分ＢＷＰリスト及び構成情報を受信することと、
該端末デバイスが該構成情報に基づいて該ＢＷＰリストからＢＷＰを選択してデータ伝送を行うこととを含み、
該ＢＷＰリストが少なくとも１つＢＷＰを含み、該少なくとも１つＢＷＰの最大帯域幅が該端末デバイスがサポートする最大帯域幅能力情報以下であり、該構成情報が該ＢＷＰリストにデータ伝送するＢＷＰを示す。
【０００９】
第２の態様として、本願の実施例は、無線通信方法を提供し、
ネットワークデバイスが、端末デバイスにより送信された、該端末デバイスがサポートする最大帯域幅能力情報を受信することと、
該ネットワークデバイスが該端末デバイスがサポートする最大帯域幅能力情報に基づいて、帯域幅部分ＢＷＰリスト及び構成情報を該端末デバイスに構成することとを含み、該ＢＷＰリストが少なくとも１つＢＷＰを含み、該少なくとも１つＢＷＰの最大帯域幅が該端末デバイスがサポートする最大帯域幅能力情報以下であり、該構成情報が該ＢＷＰリストにデータ伝送するＢＷＰを示す。
【００１０】
そして、本願の実施例の無線通信方法において、端末デバイスがサポートする可能な最大帯域幅能力情報を通知し、ネットワークデバイスは、端末デバイスがサポートする可能な最大帯域幅能力情報に応じて、データを送信する帯域幅部分を端末デバイスに構成することにより、端末デバイスが適切な帯域幅でデータ送信を行うことができ、省電力化を図る。
【００１１】
任意選択で、第２の態様の実現可能な方式において、該方法は、さらに、
該ネットワークデバイスが該端末デバイスにより送信された指示情報を受信することを含み、該指示情報は、該端末デバイスが優先的に使用する周波数範囲、及び／又は、周波数優先度情報を示し、
該ネットワークデバイスが該端末デバイスがサポートする最大帯域幅能力情報に基づいて、該端末デバイスに対する帯域幅部分ＢＷＰリストを構成することは、
該ネットワークデバイスが該端末デバイスがサポートする最大帯域幅能力情報及び該指示情報に基づいて、該端末デバイスに対する該ＢＷＰリストを構成することを含む。
【００１２】
さらに、端末デバイスが優先的に使用する周波数範囲及び/又は周波数優先度情報を示す指示情報を通知することにより、ネットワークデバイスは、端末デバイスがサポートする最大帯域幅能力情報と優先的に使用する周波数範囲及び/又は周波数優先度情報とに基づいて、端末デバイスにデータを送信するため帯域幅部分を構成することができ、これにより、端末デバイスは、省電力化を図るために適切な帯域幅でデータ送信を行うことができる。
【００１３】
任意選択で、第２の態様の実現可能な方式において、該ネットワークデバイスが該端末デバイスがサポートする最大帯域幅能力情報に基づいて、該端末デバイスにＢＷＰリストを構成することは、
該ネットワークデバイスが無線リソース制御ＲＲＣ専用シグナリングを介して、該ＢＷＰリスト及び該構成情報を該端末デバイスに構成することを含む。
【００１４】
第３の態様として、本願の実施例は、第１の態様または第１の態様の任意の実施例における方法のモジュールまたはユニットを実行することができる端末デバイスを提供する。
【００１５】
第４の態様として、本願の実施例は、第２の態様または第２の態様の任意の実施例における方法のモジュールまたはユニットを実行することができるネットワークデバイスを提供する。
【００１６】
第５の態様は、プロセッサと、メモリと、通信インターフェースとを含む端末デバイスを提供する。プロセッサは、メモリおよび通信インターフェースに接続される。メモリは、命令を格納するために使用され、プロセッサは、命令を実行するために使用され、通信インターフェースは、プロセッサの制御下で他のネットワークエンティティと通信するために使用される。プロセッサがメモリに記憶された命令を実行すると、プロセッサに、第１の態様または第１の態様の任意の可能な実装形態における方法を実行させる。
【００１７】
第６の態様は、プロセッサと、メモリと、通信インターフェースとを含むネットワークデバイスを提供する。プロセッサは、メモリおよび通信インターフェースに接続される。メモリは、命令を格納するために使用され、プロセッサは、命令を実行するために使用され、通信インターフェースは、プロセッサの制御下で他のネットワークエンティティと通信するために使用される。プロセッサがメモリに記憶された命令を実行すると、プロセッサに、第２の態様または第２の態様の任意の可能な実装形態における方法を実行させる。
【００１８】
第７の態様は、コンピュータに、上記の第１の態様または第１の態様の可能な実施態様のいずれかにおける方法を実行するための命令を指示するためのプログラムコードを記憶したコンピュータ記憶媒体を提供する。
【００１９】
第８の態様は、コンピュータに、上記の第２の態様または第２の態様の可能な実施態様のいずれかにおける方法を実行するための命令を指示するためのプログラムコードを記憶したコンピュータ記憶媒体を提供する。
【００２０】
第９の態様は、命令を含むコンピュータプログラム製品が提供し、コンピュータ上で実行されると、コンピュータに上述の態様に記載の方法を実行させる。
【図面の簡単な説明】
【００２１】
【図１】本願の実施例における応用シーンの模式図である。
【図２】本願の実施例における無線通信方法のフローチャートである。
【図３】本願の実施例における他の無線通信方法フローチャートである。
【図４】本願の実施例におけるＢＷＰの模式図である。
【図５】本願の実施例における他のＢＷＰの模式図である。
【図６】本願の実施例における他のＢＷＰの模式図である。
【図７】本願の実施例における端末デバイスのブロック図である。
【図８】本願の実施例におけるネットワークデバイスのブロック図である。
【図９】本願の実施例における無線通信デバイスのブロック図である。
【図１０】本願の実施例におけるシステムチップの構成図である。
【発明を実施するための形態】
【００２２】
以下、本願の実施例における技術的解決策を、本願の実施例における添付図面と併せて、明確かつ完全に説明する。
【００２３】
本発明の実施例による技術的解決策は、例えば、ロングタームエボリューション( Ｌｏｎｇ Ｔｅｒｍ Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、ＷｉＭＡＸ通信システム( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )又は５Ｇ通信システム等の様々な通信システムに適用されてもよい。
【００２４】
本発明の実施例における端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信デバイス、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来進化する一般陸上モバイル通信ネットワーク( Ｐｕｂｌｉｃ Ｌａｎｄ Ｍｏｂｉｌｅ Ｎｅｔｗｏｒｋ、ＰＬＭＮ )における端末デバイスなどであり得るが、本開示の実施例は限定されない。
【００２５】
本願は、アクセスネットワークデバイスに関連して様々な実施例を説明する。本発明の実施例におけるネットワークデバイスは、端末デバイスと通信するための装置であってもよく、該ネットワークデバイスは、ＬＴＥシステムにおける発展型基地局( Ｅｖｏｌｕｔｉｏｎａｌ ＮｏｄｅＢ、ｅＮＢ又はｅＮｏｄｅＢ )であってもよく、又はクラウド無線アクセスネットワーク( Ｃｌｏｕｄ Ｒａｄｉｏ Ａｃｃｅｓｓ Ｎｅｔｗｏｒｋ、ＣＲＡＮ )シナリオにおける無線コントローラであってもよく、又は該アクセスネットワークデバイスは、中継局、アクセスポイント、車載装置、ウェアラブル装置、次世代発展型基地局( Ｎｅｘｔ Ｇｅｎｅｒａｔｉｏｎ Ｅｖｏｌｕｔｉｏｎａｌ ＮｏｄｅＢ、ＮＧ−ｅＮＢ )及び５Ｇネットワークにおけるアクセスネットワークデバイス(例えば、ｇＮＢ )又は将来進化するパブリックモバイルネットワーク( Ｐｕｂｌｉｃ Ｌａｎｄ Ｍｏｂｉｌｅ Ｎｅｔｗｏｒｋ、ＰＬＭＮ )ネットワークにおけるアクセスネットワークデバイス等であってもよく、本発明の実施例は限定されない。
【００２６】
本発明は、コアネットワークデバイスに関連して様々な実施例を説明している。本発明の実施例におけるコアネットワークデバイスは、アクセスネットワークデバイスと通信するデバイスであってよく、このコアネットワークデバイスは、アクセスおよびモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )などの５Ｇコアネットワークデバイスであってもよく、モビリティ管理エンティティ( Ｍｏｂｉｌｉｔｙ Ｍａｎａｇｅｍｅｎｔ Ｅｎｔｉｔｙ、ＭＭＥ )などのパケットコアエボリューション( Ｅｖｏｌｖｅｄ Ｐａｃｋｅｔ Ｃｏｒｅ、ＥＰＣ )デバイスであってもよい。
【００２７】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００２８】
任意選択で、この無線通信システム１００は、ネットワークコントローラ、モビリティ管理エンティティ( Ｍｏｂｉｌｉｔｙ Ｍａｎａｇｅｍｅｎｔ Ｅｎｔｉｔｙ、ＭＭＥ )、アクセス及びモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )などの他のネットワークエンティティをさらに含むことができ、本願実施例はこれに限定されない。
【００２９】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００３０】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００３１】
図２は、本発明の実施例における無線通信方法２００の概略的なフローチャートである。方法２００は、任意選択で、図１に示されるシステムに適用され得るが、これに限定されない。方法２００は、以下の少なくとも一部を含む。
【００３２】
２１０において、端末デバイスがネットワークデバイスに該端末デバイスがサポートする最大帯域幅能力情報を送信する。
【００３３】
任意選択で、端末デバイスは、データ伝送を行う前に、ネットワークデバイスに該端末デバイスがサポートする最大帯域幅能力情報を送信する。
【００３４】
例えば、端末デバイスは、ネットワークデバイスに最初アクセスする時に、ネットワークデバイスに該端末デバイスがサポートする最大帯域幅能力情報を送信する。
【００３５】
任意選択で、該ネットワークデバイスは、該端末デバイスがサポートする最大帯域幅能力情報に基づいて、該端末デバイスに帯域幅部分（Ｂａｎｄ Ｗｉｄｔｈ Ｐａｒｔ、ＢＷＰ）リスト及び構成情報を構成し、該ＢＷＰリストが少なくとも１つＢＷＰを含み、該少なくとも１つＢＷＰの最大帯域幅が該端末デバイスがサポートする最大帯域幅能力情報以下であり、該構成情報が該ＢＷＰリストにデータ伝送するＢＷＰを示す。
【００３６】
任意選択で、ＢＷＰは、端末デバイスの電力最適化の目的のために調整可能な端末デバイスの帯域幅をサポートし、同時に、異なる空間アクセス技術の周波数分割多元接続( Ｆｒｅｑｕｅｎｃｙ Ｄｉｖｉｓｉｏｎ Ｍｕｌｔｉｐｌｅ Ａｃｃｅｓｓ、ＦＤＭＡ )多重化をサポートすることができる。
【００３７】
任意選択で、該方法は、
該端末デバイスが該ネットワークデバイスに指示情報を送信することを含み、該指示情報は、該端末デバイスが優先的に使用する周波数範囲、及び／又は、周波数優先度情報を示す。
【００３８】
例えば、端末デバイスが５０ＭＨｚ〜１００ＭＨｚ周波数範囲を優先的に使用する。
【００３９】
また、例えば、端末デバイスが低周波数を優先的に使用する。
【００４０】
また、例えば、端末デバイスは、低遅延で高信頼な通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬC )サービスを行う必要がある場合には、高い周波数を優先的に使用する。
【００４１】
任意選択で、該ネットワークデバイスは、該端末デバイスがサポートする最大帯域幅能力情報及び該指示情報に基づいて、該ＢＷＰリスト及び該構成情報を該端末デバイスに構成する。
【００４２】
任意選択で、該ＢＷＰリストが該構成情報を直接含むことができる。
【００４３】
任意選択で、該方法２００は、さらに、
該端末デバイスが該ネットワークデバイスにより送信された該ＢＷＰリスト及び該構成情報を受信することと、
該端末デバイスが該構成情報に基づいて該ＢＷＰリストからＢＷＰを選択してデータ伝送を行うこととを含む。
【００４４】
そして、本願の実施例の無線通信方法において、端末デバイスがサポートする可能な最大帯域幅能力情報を通知し、ネットワークデバイスは、端末デバイスがサポートする可能な最大帯域幅能力情報に応じて、データを送信する帯域幅部分を端末デバイスに構成することにより、端末デバイスが適切な帯域幅でデータ送信を行うことができ、省電力化を図る。
【００４５】
さらに、端末デバイスが優先的に使用する周波数範囲及び/又は周波数優先度情報を示す指示情報を通知することにより、ネットワークデバイスは、端末デバイスがサポートする最大帯域幅能力情報と優先的に使用する周波数範囲及び/又は周波数優先度情報とに基づいて、端末デバイスにデータを送信するため帯域幅部分を構成することができ、これにより、端末デバイスは、省電力化を図るために適切な帯域幅でデータ送信を行うことができる。
【００４６】
図３は、本発明の実施例における無線通信方法３００の概略的なフローチャートである。方法３００は、任意選択で、図１に示されるシステムに適用され得るが、これに限定されない。方法３００は、以下の少なくとも一部を含む。
【００４７】
３１０において、ネットワークデバイスが、端末デバイスにより送信された、該端末デバイスがサポートする最大帯域幅能力情報を受信する。
【００４８】
３２０において、該ネットワークデバイスが該端末デバイスがサポートする最大帯域幅能力情報に基づいて、帯域幅部分ＢＷＰリスト及び構成情報を該端末デバイスに構成し、該ＢＷＰリストが少なくとも１つＢＷＰを含み、該少なくとも１つＢＷＰの最大帯域幅が該端末デバイスがサポートする最大帯域幅能力情報以下であり、該構成情報が該ＢＷＰリストにデータ伝送するＢＷＰを示す。
【００４９】
任意選択で、該方法３００は、さらに、
該ネットワークデバイスが該端末デバイスにより送信された指示情報を受信することを含み、該指示情報は、該端末デバイスが優先的に使用する周波数範囲、及び／又は、周波数優先度情報を示す。
【００５０】
任意選択で、該ネットワークデバイスが該端末デバイスがサポートする最大帯域幅能力情報及び該指示情報に基づいて、該端末デバイスに対する該ＢＷＰリストを構成する。
【００５１】
任意選択で、該ネットワークデバイスが無線リソース制御ＲＲＣ専用シグナリングを介して、該ＢＷＰリスト及び該構成情報を該端末デバイスに構成する。
【００５２】
例えば、図４に示すように、端末デバイスのレートが高い場合、ネットワークデバイスは、利用可能な帯域( Ｏｖｅｒａｌｌ Ｃａｒｒｉｅｒ )から、端末デバイスに大きい帯域幅ＢＷＰ１を構成する。
【００５３】
また、例えば、図５に示すように、端末デバイスのレートが低い場合、ネットワークデバイスは、Ｏｖｅｒａｌｌ Ｃａｒｒｉｅｒから、端末デバイスに小さい帯域幅ＢＷＰ２を構成する。
【００５４】
また、例えば、図６に示すように、端末デバイスが高レートをサポートし、又は、キャリアアグリゲーション( Ｃａｒｒｉｅｒ Ａｇｇｒｅｇａｔｉｏｎ、ＣＡ )モードで動作している場合には、複数のＢＷＰとして、ＢＷＰ１とＢＷＰ２を複数配置してもよい。
【００５５】
なお、無線通信方法３００の説明は、無線通信方法２００の対応するステップの関連する説明を参照してもよく、簡潔のためにここで説明を省略する。
【００５６】
そして、本願の実施例の無線通信方法において、端末デバイスがサポートする可能な最大帯域幅能力情報を通知し、ネットワークデバイスは、端末デバイスがサポートする可能な最大帯域幅能力情報に応じて、データを送信する帯域幅部分を端末デバイスに構成することにより、端末デバイスが適切な帯域幅でデータ送信を行うことができ、省電力化を図る。
【００５７】
さらに、端末デバイスが優先的に使用する周波数範囲及び/又は周波数優先度情報を示す指示情報を通知することにより、ネットワークデバイスは、端末デバイスがサポートする最大帯域幅能力情報と優先的に使用する周波数範囲及び/又は周波数優先度情報とに基づいて、端末デバイスにデータを送信するため帯域幅部分を構成することができ、これにより、端末デバイスは、省電力化を図るために適切な帯域幅でデータ送信を行うことができる。
【００５８】
図７は本願の実施例における端末デバイス４００のブロック図である。図７に示すように、該端末デバイス４００は、送信ユニット４１０を含み、
送信ユニット４１０は、ネットワークデバイスに該端末デバイスがサポートする最大帯域幅能力情報を送信するように構成される。
【００５９】
任意選択で、該送信ユニット４１０は、さらに、該ネットワークデバイスに指示情報を送信するように構成され、該指示情報は、該端末デバイスが優先的に使用する周波数範囲、及び／又は、周波数優先度情報を示す。
【００６０】
任意選択で、該端末デバイス４００は、さらに、受信ユニット４２０と処理ユニット４３０を含み、
受信ユニット４２０は、該ネットワークデバイスにより送信された帯域幅部分ＢＷＰリスト及び構成情報を受信するように構成され、該ＢＷＰリストが少なくとも１つＢＷＰを含み、該少なくとも１つＢＷＰの最大帯域幅が該端末デバイスがサポートする最大帯域幅能力情報以下であり、該構成情報が該ＢＷＰリストにデータ伝送するＢＷＰを示し、
処理ユニット４３０は、該構成情報に基づいて、該ＢＷＰリストからＢＷＰを選択してデータ伝送を行うように構成される。
【００６１】
なお、本発明の実施例における端末デバイス４００の各モジュールの上記及び他の動作及び/又は機能は、それぞれ図２の方法２００における端末デバイスの対応するフローを実現するために、簡潔のためにここでは説明を省略する。
【００６２】
図８は本願の実施例におけるネットワークデバイス５００のブロック図である。図８に示すように、該ネットワークデバイス５００は、受信ユニット５１０と処理ユニット５２０を含み、
受信ユニット５１０は、端末デバイスにより送信された該端末デバイスがサポートする最大帯域幅能力情報を受信するように構成され、
処理ユニット５２０は、該端末デバイスがサポートする最大帯域幅能力情報に基づいて、該端末デバイスに帯域幅部分ＢＷＰリスト及び構成情報を構成するように構成され、該ＢＷＰリストが少なくとも１つＢＷＰを含み、該少なくとも１つＢＷＰの最大帯域幅が該端末デバイスがサポートする最大帯域幅能力情報以下であり、該構成情報が該ＢＷＰリストにデータ伝送するＢＷＰを示す。
【００６３】
任意選択で、該受信ユニット５１０は、該端末デバイスにより送信された指示情報を受信するように構成され、該指示情報は、該端末デバイスが優先的に使用する周波数範囲、及び／又は、周波数優先度情報を示し、
該処理ユニット５２０は、該端末デバイスがサポートする最大帯域幅能力情報及び該指示情報に基づいて、該端末デバイスに対する該ＢＷＰリストを構成するように構成される。
【００６４】
任意選択で、該処理ユニット５２０は、さらに、無線リソース制御ＲＲＣ専用シグナリングを介して、該端末デバイスに該ＢＷＰリスト及び該構成情報を構成するように構成される。
【００６５】
なお、本発明の実施例におけるネットワークデバイス５００における様々なモジュールの上記及び他の動作及び/又は機能は、それぞれ、図３の方法３００におけるネットワークデバイスの対応するフローを実施するために、簡潔のためにここで説明を省略する。
【００６６】
図９は、本願の実施例によって提供される無線通信デバイス６００の概略ブロック図を示し、装置６００は、
コードを含むプログラムを記憶するためのメモリ６１０と、
他の装置と通信するための送受信機６２０と、
メモリ６１０内のプログラムコードを実行するために使用されるプロセッサ６３０と、を備える。
【００６７】
任意選択で、送受信機６２０は、プロセッサ６３０の駆動下で特定の信号の送受信を実行するために使用される。
【００６８】
任意選択で、コードが実行されると、プロセッサ６３０は、図２の方法２００において端末デバイスによって実行される様々な動作を実施することもできるが、簡潔のためにここでは詳しい説明を省略する。この場合、デバイス６００は、例えば携帯電話などの端末デバイスであってもよい。
【００６９】
任意選択で、コードが実行されると、プロセッサ６３０は、図３の方法３００においてネットワークデバイスによって実行される様々な動作を実施してもよく、簡潔のためにここでは詳しい説明を省略する。このとき、デバイス６００は、ネットワークデバイス、例えば基地局であってもよい。
【００７０】
本発明の実施例において、プロセッサ６３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ)又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【００７１】
メモリ６１０は、読み出し専用メモリおよびランダムアクセスメモリを含み得、プロセッサ６３０に命令およびデータを提供し得る。メモリ６１０の一部は、不揮発性ランダムアクセスメモリも含み得る。例えば、メモリ６１０は、デバイスタイプの情報をさらに記憶することができる。
【００７２】
送受信機６２０は、周波数変調および復調機能またはアップコンバートおよびダウンコンバート機能などの信号送信および受信機能を実装するために使用され得る。
【００７３】
実装の過程で、方法の少なくとも１つのステップは、プロセッサ６３０内のハードウェアの集積論理回路によって達成されてもよく、または、集積論理回路は、ソフトウェアの形態の命令駆動の下で少なくとも１つのステップを実施してもよい。したがって、無線通信デバイス６００は、チップまたはチップセットであり得る。本願の実施例に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに存在し、プロセッサ６３０は、メモリ内の情報を読み出し、ハードウェアとともに上述した方法のステップを実行する。重複を避けるため、ここでは詳細な説明は省略する。
【００７４】
図１０は、本発明の実施例に係るシステムチップ７００の概略構成図である。図１０のシステムチップ７００は、入力インターフェース７０１、出力インターフェース７０２、メモリ７０４内のコードを実行するプロセッサ７０３、及びメモリ７０４を備え、これらは、内部通信接続線を介して接続することができる。
【００７５】
任意選択で、コードが実行されると、プロセッサ７０３は、方法の実施例において端末デバイスによって実行される方法を実施する。簡潔にするために、ここで説明を省略する。
【００７６】
任意選択で、コードが実行されると、プロセッサ７０３は、方法の実施例においてネットワークデバイスによって実行される方法を実施する。簡潔にするために、ここで説明を省略する。
【００７７】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施例に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( ＤＳＬ ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ ( ＳＳＤ ) )などであってもよい。
【００７８】
なお、本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではない。
【００７９】
当業者であれば、説明の便宜及び簡潔にするために、上記に説明されたシステム、装置及びユニットの具体的な動作プロセスは、前述の方法の実施例における対応するプロセスを参照してもよく、ここでその説明が省略される。
【００８０】
以上、本発明の具体的な実施例について説明したが、本発明の技術的範囲はこれに限定されるものではなく、本発明の技術的範囲に属する全ての変形や変更が本発明の技術的範囲に含まれることは当業者にとって明らかである。したがって、本発明の保護範囲は、特許請求の範囲の保護範囲に準ずるものとする。
【図１】
2021510021.tif 000003
【図２】
2021510021.tif 000004
【図３】
2021510021.tif 000005
【図４】
2021510021.tif 000006
【図５】
2021510021.tif 000007
【図６】
2021510021.tif 000008
【図７】
2021510021.tif 000009
【図８】
2021510021.tif 000010
【図９】
2021510021.tif 000011
【図１０】
2021510021.tif 000012
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
端末デバイスが、前記端末デバイスがサポートする最大帯域幅能力情報をネットワークデバイスに送信することを含む
ことを特徴とする無線通信方法。
【請求項２】
前記方法は、さらに、
前記端末デバイスが前記ネットワークデバイスに指示情報を送信することを含み、前記指示情報は、前記端末デバイスが優先的に使用する周波数範囲、及び／又は、周波数優先度情報を示す
ことを特徴とする請求項１に記載の無線通信方法。
【請求項３】
前記方法は、さらに、
前記端末デバイスが前記ネットワークデバイスにより送信された帯域幅部分ＢＷＰリスト及び構成情報を受信することと、
ＢＷＰにおいてデータを伝送して、前記構成情報に示すＢＷＰリストのデータを伝送することとを含み、
前記ＢＷＰリストが少なくとも１つＢＷＰを含み、前記構成情報が前記ＢＷＰリストにデータ伝送するＢＷＰを示す
ことを特徴とする請求項１又は２に記載の無線通信方法。
【請求項４】
前記方法は、さらに、
前記端末デバイスが前記ネットワークデバイスにより送信された帯域幅部分ＢＷＰリスト及び構成情報を受信することと、
端末デバイスが構成情報に基づいて、ＢＷＰリストからＢＷＰを選択してデータを伝送することとを含み、
前記ＢＷＰリストが少なくとも１つＢＷＰを含み、前記構成情報が前記ＢＷＰリストにデータ伝送するＢＷＰを示す
ことを特徴とする請求項１又は２に記載の無線通信方法。
【請求項５】
前記少なくとも１つＢＷＰの最大帯域幅が前記端末デバイスのサポートする最大帯域幅能力情報以下である
ことを特徴とする請求項３又は４に記載の無線通信方法。
【請求項６】
ネットワークデバイスは、端末デバイスにより送信された、前記端末デバイスがサポートする最大帯域幅能力情報を受信することと、
前記ネットワークデバイスが前記端末デバイスがサポートする最大帯域幅能力情報に基づいて、帯域幅部分ＢＷＰリスト及び構成情報を前記端末デバイスに構成することとを含み、
前記ＢＷＰリストが少なくとも１つＢＷＰを含み、前記構成情報が前記ＢＷＰリストにデータ伝送するＢＷＰを示す
ことを特徴とする無線通信方法。
【請求項７】
前記方法は、さらに、
前記ネットワークデバイスが前記端末デバイスにより送信された指示情報を受信することを含み、前記指示情報は、前記端末デバイスが優先的に使用する周波数範囲、及び／又は、周波数優先度情報を示し、
前記ネットワークデバイスが前記端末デバイスがサポートする最大帯域幅能力情報に基づいて、前記端末デバイスに対する帯域幅部分ＢＷＰリストを構成することは、
前記ネットワークデバイスが前記端末デバイスがサポートする最大帯域幅能力情報及び前記指示情報に基づいて、前記端末デバイスに対する前記ＢＷＰリストを構成することを含む
ことを特徴とする請求項６に記載の無線通信方法。
【請求項８】
前記ネットワークデバイスが前記端末デバイスがサポートする最大帯域幅能力情報に基づいて、ＢＷＰリストを前記端末デバイスに構成することは、
前記ネットワークデバイスが無線リソース制御ＲＲＣ専用シグナリングを介して前記端末デバイスに前記ＢＷＰリスト及び前記構成情報を構成することを含む
ことを特徴とする請求項６又は７に記載の無線通信方法。
【請求項９】
送信ユニットを備える端末デバイスであって、
前記送信ユニットは、前記端末デバイスがサポートする最大帯域幅能力情報をネットワークデバイスに送信するように構成される
ことを特徴とする端末デバイス。
【請求項１０】
前記送信ユニットは、さらに、前記ネットワークデバイスに指示情報を送信するように構成され、前記指示情報は、前記端末デバイスが優先的に使用する周波数範囲、及び／又は、周波数優先度情報を示す
ことを特徴とする請求項９に記載の端末デバイス。
【請求項１１】
前記端末デバイスは、さらに、受信ユニットと処理ユニットを含み、
前記受信ユニットは、前記ネットワークデバイスにより送信された帯域幅部分ＢＷＰリスト及び構成情報を受信するように構成され、前記ＢＷＰリストが少なくとも１つＢＷＰを含み、前記構成情報が前記ＢＷＰリストにデータ伝送するＢＷＰを示し、
前記処理ユニットは、ＢＷＰにおいてデータを伝送して、前記構成情報に示すＢＷＰリストのデータを伝送するように構成される
ことを特徴とする請求項９又は１０に記載の端末デバイス。
【請求項１２】
前記端末デバイスは、さらに、受信ユニットと処理ユニットを備え、
前記受信ユニットは、前記ネットワークデバイスにより送信された帯域幅部分ＢＷＰリスト及び構成情報を受信するように構成され、前記ＢＷＰリストが少なくとも１つＢＷＰを含み、前記構成情報が前記ＢＷＰリストにデータ伝送するＢＷＰを示し、
前記処理ユニットは、構成情報に基づいて、ＢＷＰリストからＢＷＰを選択してデータを伝送するように構成される
ことを特徴とする請求項９又は１０に記載の端末デバイス。
【請求項１３】
受信ユニットと、処理ユニットとを備えるネットワークデバイスであって、
前記受信ユニットは、端末デバイスにより送信された、前記端末デバイスがサポートする最大帯域幅能力情報を受信するように構成され、
前記処理ユニットは、前記端末デバイスがサポートする最大帯域幅能力情報に基づいて、帯域幅部分ＢＷＰリスト及び構成情報を前記端末デバイスに構成するように構成され、
前記ＢＷＰリストが少なくとも１つＢＷＰを含み、前記構成情報が前記ＢＷＰリストにデータ伝送するＢＷＰを示す
ことを特徴とするネットワークデバイス。
【請求項１４】
前記受信ユニットは、さらに、前記端末デバイスにより送信された指示情報を受信するように構成され、前記指示情報は、前記端末デバイスが優先的に使用する周波数範囲、及び／又は、周波数優先度情報を示し、
前記処理ユニットは、前記端末デバイスがサポートする最大帯域幅能力情報及び前記指示情報に基づいて、前記端末デバイスに対する前記ＢＷＰリストを構成するように構成される
ことを特徴とする請求項１３に記載のネットワークデバイス。
【請求項１５】
前記処理ユニットは、さらに、無線リソース制御ＲＲＣ専用シグナリングを介して、前記端末デバイスに前記ＢＷＰリスト及び前記構成情報を構成するように構成される
ことを特徴とする請求項１３又は１４に記載のネットワークデバイス。
【国際調査報告】
2021510021.tif 000013
2021510021.tif 000014
2021510021.tif 000015
2021510021.tif 000016